(57)【要約】【課題】  ファンや回転するグリスフィルタの着脱が、容易かつ安全に行うことができる着脱構造を提供する。【解決手段】  モータシャフトを第一付勢力により挟持する一対の挟持部材１１と、一対の挟持部材１１がモータシャフトを挟持する状態を、押圧操作により第一付勢力に抗して解除する解除部材１２と、解除部材と掛合する第一掛合部１３１および第二掛合部１３２を有する状態保持部材１３と、状態保持部材を解除部材の方へ付勢する弾性部材と、を備え、第一掛合部は、一対の挟持部材がモータシャフトを挟持する状態にある時に、解除部材と掛合し、挟持する状態を保持し、第二掛合部は、一対の挟持部材がモータシャフトを挟持する状態を解除された状態にある時に、解除部材と掛合し、解除された状態を保持する着脱構造。【選択図】  図９
2014214889.tif 000002
【特許請求の範囲】
【請求項１】
モータシャフトに対するグリスフィルタまたはファンの着脱構造であって、
前記モータシャフトを第一付勢力により挟持する一対の挟持部材と、
前記一対の挟持部材が前記モータシャフトを挟持する状態を、押圧操作により前記第一付勢力に抗して解除する解除部材と、
前記解除部材と掛合する第一掛合部および第二掛合部を有する状態保持部材と、
前記状態保持部材を前記解除部材の方へ付勢する弾性部材と、
を備え、
前記第一掛合部は、前記一対の挟持部材が前記モータシャフトを挟持する状態にある時に、前記解除部材と掛合し、前記挟持する状態を保持し、
前記第二掛合部は、前記一対の挟持部材が前記モータシャフトを挟持する状態を解除された状態にある時に、前記解除部材と掛合し、前記解除された状態を保持する、
着脱構造。
【請求項２】
前記グリスフィルタまたはファンを前記モータシャフトから取り外す際、押圧操作により前記解除部材が前記第一付勢力に抗して前記一対の挟持部材を押し広げることで前記挟持する状態を解除し、前記弾性部材の第二付勢力により前記状態保持部材が前記解除部材の方へ移動し、前記第二掛合部が前記解除部材と掛合し、前記解除された状態を保持することを特徴とする請求項１に記載の着脱構造。
【請求項３】
前記グリスフィルタまたはファンを前記モータシャフトにその先端から装着する際、前記弾性部材の第二付勢力に抗して前記先端が前記状態保持部材を押圧することにより、前記第二掛合部と前記解除部材との掛合が外れ、前記第一付勢力により前記解除部材が移動し、前記第一掛合部が前記解除部材と掛合し、前記一対の挟持部材が前記モータシャフトを挟持する状態になることを特徴とする請求項１または２に記載の着脱構造。
【請求項４】
請求項１乃至３のいずれかに記載の着脱構造を備えるレンジフード。
【発明の詳細な説明】
【技術分野】
【０００１】
本発明は、レンジフードのグリスフィルタやファンの着脱構造およびその着脱構造を備えたレンジフードに関する。
【背景技術】
【０００２】
レンジフードなどに用いられるファンは、調理によって発生した油煙などにより汚れやすいので、ファンを回転させるモータのモータシャフトから取り外し清掃を行う必要がある。また、油煙を効率よく回収するために、グリスフィルタを回転させて捕獲するレンジフードも考案されているが（特許文献１）、かかるグリスフィルタは油煙等を捕獲するため、ファン以上に油分が付着する。
【０００３】
従来から、頻繁にファンを取り外して清掃する手間を低減するため、ファンとモータシャフトとの着脱構造には工夫がされてきた。例えば、特許文献２には、送風ファンの着脱が容易で、かつ、取り付けが確実に行える信頼性の高い送風ファン取付装置を提供することを目的として、送風ファン取付装置が開示されている。この送風ファン取付装置は、電動機の駆動軸に抜け止め用の係合溝を設け、係合溝に弾性係合する二また状のばね部材とこのばね部材を係合溝より脱するように拡開する操作手段とを設けた送風ファンとを備え、駆動軸の係合溝の側面に対面するばね部材の対面部分に平面部を形成したものである。
【０００４】
また、特許文献３には、回転軸の外周部に形成した係合溝と、送風ファンに設けられ係合溝に係合して送風ファンの抜け止めをなす平板状の係合部材と、押圧操作により係合部材を移動可能にする押釦と、係合部材の先端部に当接する平板状の板ばねとを具備し、押釦を押圧操作することにより、係合部材の係合孔が回転軸の係合溝から外れるように形成した送風ファン装置が開示されている。
【先行技術文献】
【特許文献】
【０００５】
【特許文献１】特願２０１１−２９０１５０
【特許文献２】特開２０１０−０４８２０３号公報
【特許文献３】実開平６−３０４９７号公報
【発明の概要】
【発明が解決しようとする課題】
【０００６】
しかし、上記特許文献２または３に記載された従来技術の着脱構造では、着脱する際、作業者は、例えば操作ボタンを押しながら、装着・取り外しを行わなければならなかった。すなわち、従来の着脱構造では、ファンをモータシャフトから取り外した状態で維持することができず、作業者に不安定な姿勢で着脱を行うことを強いてきた。
【０００７】
そこで、本発明は、ファンや回転するグリスフィルタの着脱が、容易かつ安全に行うことができる着脱構造およびその着脱構造を備えるレンジフードを提供することを目的とする。
【課題を解決するための手段】
【０００８】
上記課題を解決するために、モータシャフトに対するグリスフィルタまたはファンの着脱構造であって、モータシャフトを第一付勢力により挟持する一対の挟持部材と、一対の挟持部材がモータシャフトを挟持する状態を、押圧操作により第一付勢力に抗して解除する解除部材と、解除部材と掛合する第一掛合部および第二掛合部を有する状態保持部材と、状態保持部材を解除部材の方へ付勢する弾性部材と、を備え、第一掛合部は、一対の挟持部材がモータシャフトを挟持する状態にある時に、解除部材と掛合し、挟持する状態を保持し、第二掛合部は、一対の挟持部材がモータシャフトを挟持する状態を解除された状態にある時に、解除部材と掛合し、解除された状態を保持する、着脱構造が提供される。
これによれば、解除された状態を維持することで、ファンや回転するグリスフィルタの着脱が、容易かつ安全に行うことができる着脱構造を提供することができる。
【０００９】
さらに、グリスフィルタまたはファンをモータシャフトから取り外す際、押圧操作により解除部材が第一付勢力に抗して一対の挟持部材を押し広げることで挟持する状態を解除し、弾性部材の第二付勢力により状態保持部材が解除部材の方へ移動し、第二掛合部が解除部材と掛合し、解除された状態を保持することを特徴としてもよい。
これによれば、解除された状態を維持することで、ファンや回転するグリスフィルタを取り外す際、容易かつ安全に行うことができる。また、解除された状態を維持しているため、取付の際は釦等を押しながら装着する必要がなく、楽に取り付けることができる。
【００１０】
さらに、グリスフィルタまたはファンをモータシャフトにその先端から装着する際、弾性部材の第二付勢力に抗して先端が状態保持部材を押圧することにより、第二掛合部と解除部材との掛合が外れ、第一付勢力により解除部材が移動し、第一掛合部が前記解除部材と掛合し、一対の挟持部材がモータシャフトを挟持する状態になることを特徴としてもよい。
これによれば、解除された状態を維持することで、ファンや回転するグリスフィルタを装着する際、容易かつ安全に行うことができる。また、着脱構造を押圧するだけで挟持部材がモータシャフトを挟持する状態となり、ロック状態とすることができる。
【００１１】
また、上記課題を解決するために、上記記載の着脱構造を備えるレンジフードを提供することができる。
これによれば、解除された状態を維持することで、ファンや回転するグリスフィルタの着脱が、容易かつ安全に行うことができるレンジフードを提供することができる。
【発明の効果】
【００１２】
以上説明したように、本発明によれば、ファンや回転するグリスフィルタの着脱が、容易かつ安全に行うことができる着脱構造およびその着脱構造を備えるレンジフードを提供することができる。
【図面の簡単な説明】
【００１３】
【図１】本発明に係る第一実施例のレンジフードの（Ａ）正面図、（Ｂ）平面図、（Ｃ）底面図、（Ｄ）右側面図、（Ｅ）右下から見た斜視図、（Ｆ）右上から見た斜視図。
【図２】本発明に係る第一実施例のレンジフードの、整流板を取り外した場合の、右下から見た斜視図。
【図３】本発明に係る第一実施例のレンジフードの断面図（図１（Ａ）のＩ−Ｉ断面における）。
【図４】本発明に係る第一実施例の着脱構造の斜視図。
【図５】本発明に係る第一実施例の着脱構造の、カバーを外した場合の斜視図。
【図６】本発明に係る第一実施例の着脱構造の、弾性部材と解除部材を外した場合の斜視図。
【図７】本発明に係る第一実施例のロック時の着脱構造の、（Ａ）解除部材を付けた場合の底面図、（Ｂ）解除部材を外した場合の底面図。
【図８】本発明に係る第一実施例のアンロック時の着脱構造の、（Ａ）解除部材を付けた場合の底面図、（Ｂ）解除部材を外した場合の底面図。
【図９】本発明に係る第一実施例の着脱構造の、（Ａ）ロック時の状態を示す説明図、（Ｂ）アンロック時の状態を示す説明図。
【発明を実施するための形態】
【００１４】
以下では、図面を参照しながら、本発明に係る実施例について説明する。
＜第一実施例＞
図１乃至３を参照し、本発明にかかるレンジフード１について説明する。図１は、本実施例におけるレンジフード１の正六面図（一部）、図２は、本実施例におけるレンジフード１の整流板７を取り外した時の右下から見た斜視図、図３は、レンジフード設置時における手前側−奥側の前後方向の断面図を示す。
【００１５】
レンジフード１は、下方または周囲で行われる調理によって発生する湯気や油煙等を捕集するための、上方に凹状の内面パネル５を内面に有する薄型のフード２を有する。フード２は、上部後方に位置する連通口６付近で、排気ダクト（図示せず）に接続された送風機ボックス３と連結される。送風機ボックス３は、内部にシロッコファンであり空気の流れを発生させるファン４を有する。従って、ファン４が稼働すると連通口６は負圧となり、内面パネル５の下方の空気は連通口６を通して吸入され、排気ダクトを通して外部に排出される。
【００１６】
連通口６には、空気の流れを通過させる孔を有する円盤状のグリスフィルタ８と、グリスフィルタ８の円盤の中心にモータシャフトを着脱構造１０により連結され、グリスフィルタ８を回転させるモータ２０が設けられる。
【００１７】
内面パネル５の下方の空気は、調理によって発生する油煙等を含んでおり、ファン４が稼働すると、連通口６に存在する、即ちファン４が発生させた空気の流れの流路上であってファン４より上流側に位置するフィルタ８の孔に吸引され、その孔を通過することになる。グリスフィルタ８は、モータ２０により回転可能に設けられており、レンジフード１が稼働（通常運転）すると、ファン４が空気の流れを発生させると共にモータ２０がグリスフィルタ８を回転させる。グリスフィルタ８が回転すると、空気は孔を通って通過するが、油分はグリスフィルタ８の表面に衝突する。レンジフード１は、グリスフィルタ８を回転させることにより、空気に含まれる油分を捕集する。
【００１８】
グリスフィルタ８とモータシャフトを連結する着脱構造１０は、整流板７の直上に位置するので、作業者が、グリスフィルタ８を洗浄等するためにモータシャフトから取り外す場合は、まず整流板７を取り外し、図２に示すようにグリスフィルタ８を露出させてから着脱構造１０を操作する。なお、本実施例では、着脱構造１０はグリスフィルタ８とモータシャフトを連結するが、これに限定されない。例えば、本発明に係る着脱構造は、ファンの着脱構造においても使用でき、回転軸であるモータシャフトにシロッコファン等の遠心ファンや軸流ファンを着脱する構造として利用可能であることは言うまでも無い。
【００１９】
図４乃至図６を参照し、着脱構造１０を説明する。着脱構造１０は、モータシャフト２１に対するグリスフィルタの着脱構造である。なお、円盤状のグリスフィルタは、図では描いていないが、グリスフィルタ連結部材２３とカバー１７との間の隙間に挟み込まれる形で保持される。
【００２０】
図４では、着脱構造１０は、着脱構造１０の先端部分で、後述する挟持部材などの部品に油分が付着するのを防止するため、また各機構を隠すことですっきりと見せるために覆うカバー１７を含むことを表している。カバー１７から外部へ突出するのは、解除部材１２の一部のみである。作業者は、この解除部材１２の一部である操作部１２１を回転軸中心方向へ押圧することにより、グリスフィルタ８をモータシャフト２１から取り外す。
【００２１】
なお、以下の図では、カバー１７内の部品を示すために、カバー１７は図示していない。図５では、着脱構造１０は、モータシャフト２１を挟持する挟持部材１１と、挟持部材１１がモータシャフト２１を挟持するために付勢力を与える捩りコイルバネ１５と、作業者が押圧して捩りコイルバネ１５の付勢力に抗して挟持部材１１を押し広げる解除部材１２と、解除部材１２と掛合して状態を保持する状態保持部材１３と、一端をカバー１７の内面に他端を状態保持部材１３に当接して、状態保持部材１３を解除部材１２の方へ（図示上方へ）付勢する圧縮コイルバネ１６とを示す。
【００２２】
なお、圧縮コイルバネ１６は、これに限定されず、状態保持部材１３を解除部材１２の方へ付勢する弾性部材（例えば、樹脂発泡体）であればよい。また、捩りコイルバネ１５も同様に、これに限定されず、挟持部材１１がモータシャフト２１を挟持するために付勢力を与える弾性部材（例えば、ゴム）であればよい。
【００２３】
図６は、圧縮コイルバネ１６と状態保持部材１３を取り外した場合を示している。挟持部材１１は一対をなして、外側から挟まれるように捩りコイルバネ１５からモータシャフトを挟持する方に付勢力を受けることによりモータシャフト２１を両側から挟持する。挟持部材１１は爪部１１２を有し、解除部材１２は、一対の挟持部材１１の間に介在し、作業者が操作部１２１をモータシャフト２１の方へ（図示左の方へ）押圧することで、一対の挟持部材１１を押し広げる。なお、爪部１１２と解除部材１２の一部は対向した位置であって、かつ対向した面が互いに平行となるように設けられている。これにより、解除部材１２の移動範囲を規制することで上下方向のがたつきを防止している。
【００２４】
図７乃至図８を参照し、着脱構造１０におけるロック状態とアンロック状態を説明する。図７は、ロック状態を示し、（Ｂ）は、（Ａ）から解除部材１２を除いて描いてある。また、図８は、アンロック状態を示し、（Ｂ）は、（Ａ）から解除部材１２を除いて描いてある。
【００２５】
捩りコイルバネ１５のコイル部１５２は、グリスフィルタ連結部材２３に対してネジ止めされて確固に固定されている。捩りコイルバネ１５のアーム部１５１は、一対の挟持部材１１を外側から挟むように、モータシャフト２１の方へ付勢する。一対の挟持部材１１は、捩りコイルバネ１５のアーム部１５１により外側からモータシャフト２１の方へ向けて付勢力を受けることで、モータシャフト２１を両側から挟持する。
【００２６】
一対の挟持部材１１がモータシャフト２１を挟持する状態においては、即ち着脱構造１０がロック状態においては、挟持部材１１のモータシャフト２１と当接する部分である挟持当接部１１１が、モータシャフト２１の側面に当接する。挟持当接部１１１が、捩りコイルバネ１５からの付勢力によりモータシャフト２１の側面に当接することで、両者の間に摩擦力が生じ、着脱構造１０は、グリスフィルタをモータシャフト２１にしっかりと装着される。なお、脱落防止のため、モータシャフト２１の側面に凹部を設けて、その凹部に挟持当接部１１１を当接させることが好ましい。挟持当接部は凹部に引っ掛かっていれば良く、すなわち抜け落ちない程度に近接していれば良い。
【００２７】
一方、着脱構造１０がアンロック状態においては、一対の挟持部材１１がモータシャフト２１を挟持する状態から離れ、即ち、挟持当接部１１１が、モータシャフト２１の側面に当接または近接していない状態になる。操作部１２１は、ロック状態ではモータシャフト２１から最も遠い位置に存するが、アンロック状態では、モータシャフト２１により近づいた位置に存することとなる。
【００２８】
解除部材１２は、挟持部材１１と当接する部分にテーパー状をなすテーパー部１２２を有し、挟持部材１１と摺動し易く、かつ力が伝わり易くなっている。捩りコイルバネ１５が挟持部材１１を通して解除部材１２に対して働く付勢力は、アンロック状態において、Ｐ１方向にかかる。ロック状態においては、挟持部材１１がモータシャフト２１に当接しているので、付勢力は解除部材１２へはかかっていない。従って、着脱構造１０をロック状態からアンロック状態にする場合、作業者は、Ｐ１方向の付勢力に抗してＰ２方向に解除部材１２を押圧することで、解除部材１２のテーパー部１２２が一対の挟持部材１１を両外側に押し広げ、その結果、挟持当接部１１１がモータシャフト２１の側面に当接していない状態になり、アンロック状態となる。
【００２９】
図９を参照し、着脱構造１０において、ロック状態およびアンロック状態の保持の仕方を説明する。（Ａ）はロック状態を、（Ｂ）はアンロック状態を示す。ロック状態にある解除部材１２の操作部１２１は、モータシャフト２１から最も遠い位置にある。この時、状態保持部材１３の第一掛合部１３１は、解除部材１２の角部１２３の側面と掛合しており、着脱構造１０がモータシャフト２１を中心に回転しても解除部材１２が遠心力により外側に移動することが無いようになっていることで、がたつきが抑えられて騒音が発生しない。即ち、第一掛合部１３１は、一対の挟持部材１１がモータシャフト２１を挟持する状態にある時に、即ちロック状態にある時には、解除部材１２の角部１２３と掛合し、挟持する状態を保持する。
【００３０】
作業者がロック状態にある解除部材１２をＰ２の押圧方向へ操作することで、角部１２３の側面は第一掛合部１３１との掛合を離れ、解除部材１２は挟持部材１１を外側に押し広げながら、かつ角部１２３の状態保持部材１３側の面が状態保持部材１３と摺動しながら、モータシャフト２１の方へ（図示左方向へ）移動する。そして、角部１２３が第二掛合部１３２の位置に来た時に、状態保持部材１３は圧縮コイルバネ１６によりＰ３方向へ付勢されているので、状態保持部材１３は解除部材１２の方へ（図示下方へ）移動し、角部１２３の側面が第二掛合部１３２と掛合する。
【００３１】
そうすると、解除部材１２は、捩りコイルバネ１５からの付勢力を受けてもＰ１方向へは移動しない。この結果、第二掛合部１３２は、一対の挟持部材１１がモータシャフト２１を挟持する状態を解除された状態にある時に、即ちアンロック状態にある時には、解除部材１２の角部１２３と掛合し、解除された状態を保持する。作業者は、アンロック状態にある着脱構造１０と共にグリスフィルタをモータシャフト２１から取り外すことができる。これによれば、取り外した状態、すなわちアンロック状態を維持することで、安定した姿勢で作業を行うことができるので、グリスフィルタ８の着脱が、容易かつ安全に行うことができる着脱構造を提供することができる。
【００３２】
即ち、グリスフィルタ８をモータシャフト２１から取り外す際、押圧操作により解除部材１２が捩りコイルバネ１５からの付勢力に抗して一対の挟持部材１１を押し広げることで挟持する状態を解除し、圧縮コイルバネ１６の付勢力により状態保持部材１３が解除部材１２の方へ移動し、第二掛合部１３２が解除部材１２と掛合し、解除された状態を保持する。これによれば、取り外した状態を維持することで、グリスフィルタを取り外す際、容易かつ安全に行うことができる。
【００３３】
また、作業者は、アンロック状態にある着脱構造１０をモータシャフトの先端２２から装着する。そして、モータシャフトの先端２２が状態保持部材１３に当接した後、さらに作業者が奥深く挿入するように押圧すると、その押圧する力がＰ３方向に働いている圧縮コイルバネ１６による付勢力より大きくなる。その結果、状態保持部材１３は、解除部材１２から離れる方向へ（図示右側へ）移動し、角部１２３の側面と第二掛合部１３２との掛合が外れ、捩りコイルバネ１５からの付勢力により、解除部材１２はロック状態に戻る。
【００３４】
即ち、グリスフィルタ８をモータシャフト２１にその先端２２から装着する際、圧縮コイルバネ１６の付勢力に抗して先端２２が状態保持部材１３を押圧することにより、第二掛合部１３２と解除部材１２との掛合が外れ、捩りコイルバネ１５の付勢力により挟持部材１１が押し出すことで解除部材１２が移動し、第一掛合部１３１が解除部材１２と掛合し、一対の挟持部材１１がモータシャフト２１を挟持する状態になる。これによれば、取り外した状態を維持することで、グリスフィルタを装着する際、容易かつ安全に行うことができる。
【００３５】
操作部１２１は目印１２４を設けることが好ましい。目印はロック状態にある時は目印を視認することができ、アンロック時は操作部１２１が押圧されると共に目印もカバー１７の中に隠れるため、アンロック時には目印１２４を視認することができないようになっている。これによれば、使用者は目印の位置によってロック状態にあるかアンロック状態にあるかを容易に判別することができる。なお、本実施例においては目印として孔を設けているが、これに限定されない。例えば、凸部や凹部，色彩によって判別できるものであっても良い。
【００３６】
なお、本発明は、例示した実施例に限定するものではなく、特許請求の範囲の各項に記載された内容から逸脱しない範囲の構成による実施が可能である。即ち、本発明は、主に特定の実施形態に関して特に図示され、かつ説明されているが、本発明の技術的思想および目的の範囲から逸脱することなく、以上述べた実施形態に関し、形状、材質、数量、その他の詳細な構成において、当業者が様々な変形を加えることができるものである。従って、上記に開示した形状などを限定した記載は、本発明の理解を容易にするために例示的に記載したものであり、本発明を限定するものではないから、それらの形状等の限定の一部もしくは全部の限定を外した部材の名称での記載は、本発明に含まれるものである。
【符号の説明】
【００３７】
１      レンジフード
２      フード
３      送風機ボックス
４      ファン
５      内面パネル
６      連通口
７      整流板
８      グリスフィルタ
１０    着脱構造
１１    挟持部材
１１１  挟持当接部
１１２  爪部
１２    解除部材
１２１  操作部
１２２  テーパー部
１２３  角部
１２４  目印
１３    状態保持部材
１３１    第一掛合部
１３２    第二掛合部
１５    第一弾性部材（捩りコイルバネ）
１５１  アーム部
１５２  コイル部
１６    第二弾性部材（圧縮コイルバネ）
１７    カバー
２０    モータ
２１    モータシャフト
２２    モータシャフトの先端
２３    グリスフィルタ連結部材
Ｐ１    解除部材が受ける第一付勢力の方向
Ｐ２    解除部材の押圧方向
Ｐ３    状態保持部材が受ける第二付勢力の方向
【図１】
2014214889.tif 000003
【図２】
2014214889.tif 000004
【図３】
2014214889.tif 000005
【図４】
2014214889.tif 000006
【図５】
2014214889.tif 000007
【図６】
2014214889.tif 000008
【図７】
2014214889.tif 000009
【図８】
2014214889.tif 000010
【図９】
2014214889.tif 000011